(57)【要約】【課題】掻込みリールを備え、操作性が高いコンバインを提供する。【解決手段】操縦部（６）の前部に配置されたパネル（６１）上に、刈取前処理装置（４）を昇降操作する操作レバー（６３）を設け、操作レバー（６３）の上部には、操作レバー（６３）の上端部を把持した手の指によって掻込みリール（２１）を昇降操作するスイッチ（６４）を設け、スイッチ（６４）を操作レバー（６３）の上端に対して左右一側に偏倚させて配置することにより解決される。【選択図】図５
2014087298.tif 000002
【特許請求の範囲】
【請求項１】
機体フレーム（１）の下方に走行装置（２）を配置し、該機体フレーム（１）の前方に圃場に植立する穀桿を刈り取る刈取前処理装置（４）を配置し、該刈取前処理装置（４）の後方における機体フレーム（１）の上部一側に穀桿の脱穀を行なう脱穀装置（３）を配置し、機体フレーム（１）の上部他側には操作者が搭乗する操縦部（６）を配置したコンバインにおいて、
前記刈取前処理装置（４）に備えた穀稈切断用の刈刃装置（４０）の上方に、植立穀稈を掻込む掻込みリール（２１）を設けると共に、
前記操縦部（６）の前部に配置されたパネル（６１）上に、刈取前処理装置（４）を昇降操作する操作レバー（６３）を設け、
前記操作レバー（６３）の上部には、該操作レバー（６３）の上端部を把持した手の指によって前記掻込みリール（２１）を昇降操作するスイッチ（６４）を設け、該スイッチ（６４）を操作レバー（６３）の上端に対して左右一側に偏倚させて配置したことを特徴とするコンバイン。
【請求項２】
前記スイッチ（６４）を操作レバー（６３）の上端よりも低い位置に配置した請求項１記載のコンバイン。
【請求項３】
前記スイッチ（６４）を、操作レバー（６３）に対して前上がりに傾斜する杆状の操作具とした請求項２記載のコンバイン。
【請求項４】
機体側面視において、前記スイッチ（６４）の基部と先端部を結ぶ仮想線（６４Ａ）と、操作レバー（６３）の基部と先端部を結ぶ仮想線（６３Ａ）とが成す角度を１０〜２０度に設定した請求項３記載のコンバイン。
【請求項５】
前記操作レバー（６３）の後側に操作者が把持するフロントフレーム（６０）を配置し、該フロントフレーム（６０）は、前記パネル（６１）支持用の枠体（６Ａ）に下端部を装着して上方に延設した左右のフレーム（６０Ａ，６０Ｃ）と、該左右のフレーム（６０Ａ，６０Ｃ）の上端部間を繋ぐ上側フレーム（６０Ｂ）とで形成した請求項１〜４のいずれか１項に記載のコンバイン。
【請求項６】
前記上側フレーム（６０Ｂ）における前記操作レバー（６３）よりも左側の部位を前方へ向けて湾曲させた請求項５記載のコンバイン。
【請求項７】
前記操縦部（６）の前面パネル（６１）における操作レバー（６３）よりも左側の部位にモニタ（６２）を配置し、前記上側フレーム（６０Ｂ）におけるモニタ（６２）の右端部よりも左側の部位を前方へ向けて湾曲させた請求項６記載のコンバイン。
【発明の詳細な説明】
【技術分野】
【０００１】
本発明は、背丈の長い穀桿を収穫する掻込みリールを装着したコンバインに関する。
【背景技術】
【０００２】
従来、機体と、掻込みリールの高さの誤操作を防止するために、機体の操作を行なう第１操作レバーと、掻込みリールの高さの操作を行なう第２操作レバーを操縦部の前側に並設したコンバインが提案されている。（特許文献１参照）。
【先行技術文献】
【特許文献】
【０００３】
【特許文献１】特開２００７−１５９４６８号公報
【発明の概要】
【発明が解決しようとする課題】
【０００４】
しかし、従来のコンバインにあっては、機体の操作を行なう第１操作レバーと、掻込みリールの高さの操作を行なう第２操作レバーが所定の間隔をもって並設されているために、掻込みリールの高さの操作を行なう場合には、操作者は第１操作レバーから手を離す必要があり、操作性が低くなって、刈取作業の能率が低下する問題があった。
そこで、本発明の主たる課題は、かかる問題点を解消することにある。
【課題を解決するための手段】
【０００５】
上記課題を解決した本発明は次記のとおりである。
請求項１に係る発明は、機体フレーム（１）の下方に走行装置（２）を配置し、該機体フレーム（１）の前方に圃場に植立する穀桿を刈り取る刈取前処理装置（４）を配置し、該刈取前処理装置（４）の後方における機体フレーム（１）の上部一側に穀桿の脱穀を行なう脱穀装置（３）を配置し、機体フレーム（１）の上部他側には操作者が搭乗する操縦部（６）を配置したコンバインにおいて、
前記刈取前処理装置（４）に備えた穀稈切断用の刈刃装置（４０）の上方に、植立穀稈を掻込む掻込みリール（２１）を設けると共に、前記操縦部（６）の前部に配置されたパネル（６１）上に、刈取前処理装置（４）を昇降操作する操作レバー（６３）を設け、前記操作レバー（６３）の上部には、該操作レバー（６３）の上端部を把持した手の指によって前記掻込みリール（２１）を昇降操作するスイッチ（６４）を設け、該スイッチ（６４）を操作レバー（６３）の上端に対して左右一側に偏倚させて配置したことを特徴とするコンバインである。
【０００６】
請求項２に係る発明は、前記スイッチ（６４）を操作レバー（６３）の上端よりも低い位置に配置した請求項１記載のコンバインである。
【０００７】
請求項３に係る発明は、前記スイッチ（６４）を、操作レバー（６３）に対して前上がりに傾斜する杆状の操作具とした請求項２記載のコンバインである。
【０００８】
請求項４に係る発明は、機体側面視において、前記スイッチ（６４）の基部と先端部を結ぶ仮想線（６４Ａ）と、操作レバー（６３）の基部と先端部を結ぶ仮想線（６３Ａ）とが成す角度を１０〜２０度に設定した請求項３記載のコンバインである。
【０００９】
請求項５に係る発明は、前記操作レバー（６３）の後側に操作者が把持するフロントフレーム（６０）を配置し、該フロントフレーム（６０）は、前記パネル（６１）支持用の枠体（６Ａ）に下端部を装着して上方に延設した左右のフレーム（６０Ａ，６０Ｃ）と、該左右のフレーム（６０Ａ，６０Ｃ）の上端部間を繋ぐ上側フレーム（６０Ｂ）とで形成した請求項１〜４のいずれか１項に記載のコンバインである。
【００１０】
請求項６に係る発明は、前記上側フレーム（６０Ｂ）における前記操作レバー（６３）よりも左側の部位を前方へ向けて湾曲させた請求項５記載のコンバインである。
【００１１】
請求項７に係る発明は、前記操縦部（６）の前面パネル（６１）における操作レバー（６３）よりも左側の部位にモニタ（６２）を配置し、前記上側フレーム（６０Ｂ）におけるモニタ（６２）の右端部よりも左側の部位を前方へ向けて湾曲させた請求項６記載のコンバインである。
【発明の効果】
【００１２】
請求項１記載の発明によれば、刈取前処理装置（４）を昇降操作する操作レバー（６３）の上端部を把持した手の指によって、掻込みリール（２１）を昇降操作するスイッチ（６４）を容易に操作できるため、圃場条件に応じて刈取前処理装置（４）を昇降操作しながら、穀稈の倒伏状態や稈丈に応じて掻込みリール（２１）の高さを調節することができ、刈取作業の能率が高まる。
【００１３】
請求項２記載の発明によれば、上記請求項１記載の発明の効果に加え、スイッチ（６４）が操作レバー（６３）の上端よりも低い位置に配置されるため、操作レバー（６３）の上端部を把持した手の指で、このスイッチ（６４）を誤操作することが少なくなり、刈取作業の精度が高まる。
【００１４】
請求項３記載の発明によれば、上記請求項２記載の発明の効果に加え、杆状のスイッチ（６４）を操作レバー（６３）に対して前上がりに傾斜させることで、このスイッチ（６４）上端の操作範囲を、操作レバー（６３）の上端部を把持した手の指の可動範囲に適合させ、操作性を高めることができる。
【００１５】
請求項４記載の発明によれば、請求項３記載の発明の効果に加えて、スイッチ（６４）の基部と先端部を結ぶ仮想線（６４Ａ）と、操作レバー（６３）の基部と先端部を結ぶ仮想線（６３Ａ）とが成す角度を１０〜２０度に設定することで、操作性をさらに高めることができる。
【００１６】
請求項５記載の発明によれば、請求項１〜４のいずれか１項に記載の発明の効果に加えて、操作レバー（６３）の後側に配置されたフロントフレーム（６０）は、前記パネル（６１）支持用の枠体（６Ａ）に下端部を装着して上方に延設した左右のフレーム（６０Ａ，６０Ｃ）と、該左右のフレーム（６０Ａ，６０Ｃ）の上端部間を繋ぐ上側フレーム（６０Ｂ）とで構成したので、操作レバー（６３）を握っていない側の手で上側フレーム（６０Ｂ）を持つことによって、操作レバー（６３）及びスイッチ（６４）を確実に操作することができる。
【００１７】
請求項６記載の発明によれば、請求項５記載の発明の効果に加えて、前記上側フレーム（６０Ｂ）における前記操作レバー（６３）よりも左側の部位を前方へ向けて湾曲させているので、この湾曲によって形成された空間を利用して、操作者が刈取前処理装置（４）の穀稈の状態を視認するために上体を前方へ乗り出すことができ、安定した姿勢で操作レバー（６３）等の操作を行うことができる。
【００１８】
請求項７記載の発明によれば、請求項６記載の発明の効果に加えて、上側フレーム（６０Ｂ）におけるモニタ（６２）の右端部よりも左側の部位を前方へ向けて湾曲させているので、上側フレーム（６０Ｂ）によってモニタ（６２）の視認性が妨げられにくく、モニタ（６２）の視認性向上によって操作性が高まる。
【図面の簡単な説明】
【００１９】
【図１】汎用コンバインの右側面図である。
【図２】掻込み装置を取外した汎用コンバインの左側面図である。
【図３】汎用コンバインの正面図である。
【図４】汎用コンバインの背面図である。
【図５】操縦部の要部正面図である。
【図６】操縦部の要部平面図である。
【図７】操縦部の要部左側面図である。
【図８】掻込み装置を上下に操作するリールスイッチの（ａ）は正面図であり、（ｂ）は左側面図である。
【図９】セカンドモアとサブステップとの関係を示す説明図である。
【図１０】横刈刃装置のガードの右側面図である。
【図１１】横刈刃装置のガードの平面図である。
【図１２】横刈刃装置の他のガードの右側面図である。
【図１３】横刈刃装置の他のガードの平面図である。
【図１４】機体フレームの右側面図である。
【図１５】機体フレームの平面図である。
【図１６】リール昇降シリンダの油圧配管図である。
【発明を実施するための形態】
【００２０】
以下、本発明の実施形態について添付図面を参照しつつ詳説する。なお、理解を容易にするために便宜的に方向を示して説明しているが、これらにより構成が限定されるものではない。
【００２１】
コンバインは、図１〜４に示すように、機体フレーム１の下方には土壌面を走行するための左右一対のクローラからなる走行装置２が設けられ、機体フレーム１の上方左側には脱穀・選別を行う脱穀装置３が設けられ、脱穀装置３の前方には圃場の大豆、そば、麦等の穀桿を収穫する刈取前処理装置４が設けられている。脱穀装置３で脱穀・選別された穀粒は脱穀装置３の右側に設けられたグレンタンク５に貯留され、貯留された穀粒は排出筒７により外部へ排出される。
また、機体フレーム１の上方右側には操作者が搭乗する操作席を備えた操縦部６が設けられ、操縦部６の後側には、エンジンを搭載するエンジンルーム８が設けられている。
【００２２】
（刈取前処理装置）
刈取前処理装置４は、図１，２に示すように、掻込み装置２０と、オーガ装置３０と、横刈刃装置（刈刃装置）４０と、フィーダハウス５０から構成されている。なお、刈取前処理装置４は本実施形態に限定されることはなく、用途に合わせ縦刈刃装置、搬送装置等の他の装置を組込むこともできる。
【００２３】
掻込み装置２０は、倒伏した穀桿、大豆、そば等の丈の低い穀桿、及び油菜、菜の花等の丈の高い穀桿をオーガ装置３０に掻込む装置であり、オーガ装置３０の約全幅に亘ってオーガ装置３０の上側前方に設けられている。
掻込み装置２０は、左右のリール支持アーム２３と、リール支持アーム２３の前部に回転自在に支持されたリール中心軸に軸着された側面視において略六角形状に形成された掻込みリール２１から構成されている。
掻込みリール２１は、六箇所の各隅部に横方向に所定間隔で複数のリールタインが吊下げられたタイン支持杆を有し、リール支持アーム２３の基部は、オーガ装置３０のオーガフレーム３１の後板に回転自在に支持されている。
【００２４】
オーガ装置３０は、フィーダハウス５０の前方に汎用コンバインの約全幅に亘って設けられている。オーガ装置３０は、掻込み装置２０で掻込まれた穀桿をオーガ装置３０のオーガフレーム３１に開口された送込口の前方に寄せ集めてフィーダハウス５０に移送する装置である。
オーガ装置３０のオーガフレーム３１は、左右の側壁と、側壁の後部を連結する後板と、側壁と後板の下部を連結するテーブルによって構成されている。また、左右の側壁の前側には、それぞれ圃場の穀桿を分ける分草体３９が設けられており、テーブルの前端部には横刈刃装置４０が設けられている。
【００２５】
オーガフレーム３１の左右の側壁と左右のリール支持アーム２３との間には、複動式のリール昇降シリンダ２１Ａを夫々設ける。即ち、リール昇降シリンダ２１Ａにおけるシリンダ２１Ｂの基部を、左右の側壁に固定した取付ステー２１Ｃに、左右方向の軸２２で軸着し、このリール昇降シリンダ２１Ａにおけるピストン２１Ｄの先端部を、リール支持アーム２３に、左右方向の軸２４で軸着する。これにより、リール昇降シリンダ２１Ａが伸縮すると、左右のリール支持アーム２３が上下回動し、掻込みリール２１が昇降する。
【００２６】
分草体３９は、側壁から前方に向かって前下がり傾斜に設けられた支持部材３８の先端部に固定されている。また、分草体３９と側壁の連結強度を高めるために、分草体３９の後面と側壁の前面は、略四角形状の開口部を有する連結部材３７で連結されている。
【００２７】
側壁は、側面視において略多角形状に形成されており、側壁の上端部は前部から後部に後上がり傾斜し、側壁の下端部は前部から中間部に亘り略水平に形成され、中間部から後部に亘り下方に円弧状に突出して形成されている。
後板は、正面視において略長方形に形成され、テーブルは側面視において前部は略水平に形成され、後部は下方に円弧状に突出して形成されている。
なお、オーガフレーム３１は、鋼材からなる側壁と、後板と、テーブルを溶接により一体形成することもでき、また、一枚の鋼材を切断・折曲げにより一体形成することもできる。さらに、側壁等の形状は、上述の形状に限定されることはなく用途に合わせ任意の形状に形成することができる。
【００２８】
掻込みオーガ３３は、図１０に示すように、左右の一対の側壁に軸架された駆動軸３４に軸着されている。また、掻込みオーガ３３の外周には、移送されてきた穀桿を送込口の前方に寄せ集めるために、右側に向かって傾斜した搬送螺旋が設けられ、送込口の前方での穀桿の滞留を防止するために、送込口の前方に位置する掻込みオーガ３３の外周には掻込みフィンガーが設けられている。
【００２９】
横刈刃装置４０は、掻込み装置２０で掻込まれた穀桿の株元を切断する装置であり、オーガ装置３０のテーブルの前端部に設けられ、側面視において前部から後上がり傾斜している。
横刈刃装置４０は、固定状態の横下刃と、横下刃を支持する横刈刃プレートと、横下刃と横刈刃プレートによって形成された隙間を左右方向に往復摺動する横上刃から構成されている。なお、横刈刃装置４０は、本実施形態に限定されることはなく、藁屑の堆積を防止する為に、左側に位置する横上刃と右側に位置する横上刃を夫々別体に形成し、左側の横上刃と右側の横上刃を互いに反対方向に往復摺動させる構成とすることもできる。
【００３０】
未刈穀桿が連結部材３７の開口部から刈取前処理装置４の内側に入り込み、未刈穀桿の穂先部が横刈刃装置４０によって切断されるのを防止するために、図１９に示すように、連結部材３７の左側には、横刈刃装置４０の駆動部を覆うように穀桿ガード４５が取付けられている。
穀桿ガード４５は、未刈穀桿との絡まりを防止するために、側面視において、前側下部を後上がり傾斜に形成し、後側下部を略水平に形成している。また、未刈穀桿の倒伏を防止するために、図１１に示すように、平面視において、前側部を左側に傾斜して形成し、後側部を後方に向けて形成した後に、略９０度屈曲させて右側に向けて形成している。
【００３１】
未刈穀桿の入り込みをより一層防止するためには、図１２，１３に示すように、穀桿ガード４５の前側上部に未刈穀桿の入り込みを防止するプレート４５Ａを設けることができる。
【００３２】
フィーダハウス５０は、前方のオーガ装置３０と後方の脱穀装置３との間に配置され、掻込みオーガ３３の回転により送込口の前方に寄せ集められた稲、麦、大豆、そば等の穀桿を脱穀装置３に搬送する装置である。
【００３３】
（操縦部）
操縦部６の前部には、図５〜７に示すように、操作姿勢を維持するために、操作者が掴むフロントフレーム６０が設けられている。また、操縦部６の前面パネル（パネル）６１の中央部にはコンバインの種々の駆動状態を表示するモニタ６２が設けられ、前面パネル６１の右側には、コンバインの進行方向や、刈取前処理装置４の昇降等を操作する操作レバー６３が設けられている。
なお、操作レバー６３を中立位置から左側に傾斜すると、走行ミッション内の左側のサイドクラッチ（図示省略）を遮断してコンバインを左側方向に旋回させ、右側に傾斜すると右側のサイドクラッチを遮断してコンバインを右側方向に旋回させることができる。また、操作レバー６３を中立位置から前側に傾斜すると、刈取前処理装置を支持する昇降シリンダ（図示省略）を短縮して刈取前処理装置４を下降させ、後側に傾斜すると昇降シリンダを伸長して刈取前処理装置４を上昇させる。
【００３４】
正面視において、フロントフレーム６０の左右のフレーム６０Ａ，６０Ｃは、それぞれ左右のフレーム６０Ａ，６０Ｃの下端部から上方に向かって延設し、左右のフレーム６０Ａ，６０Ｃの上端部は上側フレーム６０Ｂによって繋がれている。なお、左右のフレーム６０Ａ，６０Ｃの下端部は、それぞれ操縦部６の枠体６Ａに固定されている。
【００３５】
平面視において、左側のフレーム６０Ａは、下端部から上端部に向かって前側に傾斜して延設し、右側のフレーム６０Ｃは、下端部から右側に向かって延設した後、上方に向かって後方に傾斜して延設している。上側フレーム６０Ｂは、モニタ６２の視認性を向上させると共に、中腰操作時の操作性を向上させるために、  左側のフレーム６０Ａの上端部から右側に向かって延設し、前面パネル６１のモニタ６２の右端部に対向する部位で後方右側に向かって湾曲した後に、右側に向かって延設して右側のフレーム６０Ｃの上端部に至っている。
【００３６】
操作レバー６３の左側には、掻込み装置２０の昇降を操作するスイッチ６４がブラケット６５を介して取付けられている。なお、操作者が左利きである場合には、操作レバー６３の右側に取付けるのが好ましい。
【００３７】
このスイッチ６４は、自動中立復帰式のトグルスイッチであり、操作者が操作レバー６３から手を離すことなく親指でスイッチ６４を操作できるように、図８に示すように、操作レバー６３に対して前側に傾斜して設けられている。
操作者の手の大きさによっても異なるが、スイッチ６４の上端部を基部に対して前側に傾斜させて、上下方向に延設されるスイッチ６４の軸心方向に延伸する仮想線６４Ａを操作レバー６３の軸心方向に延伸する仮想線６３Ａに対して前側に１０〜２０度傾斜して配置するのが好適である。傾斜角θが１０度以下であると、操作者が操作レバー６３を持って操作する場合に、指先がスイッチ６４に接触してスイッチ６４を誤動作させる虞がある。一方、傾斜角θが２０度以上であると、操作者が操作レバー６３から手を離すことなく親指でスイッチ６４の可動範囲全域を操作するのが困難となる。  
【００３８】
略直方体形状に形成されたブラケット６５の上面には、スイッチ６４を貫通させる開孔部が形成され、下面はスイッチ６４に接続された配線を引出すために開口されている。なお、スイッチ６４は、一対のナットによってブラケット６５の上面に着脱自在に取付けられている。
【００３９】
スイッチ６４を操作者に最適な位置に簡易に移動するために、ブラケット６５は、操作レバー６３のグリップ６３Ｂで覆われていないレバー６３Ｃを上下に移動可能なワンバンド６６等にボルト等の締結部によって取付けられている。また、スイッチ６４とブラケット６５を一体として上下方向に移動するために、ワンバンド６６のボルトを貫通させる開口部を上下方向に長い長孔とすることが好適である。
【００４０】
スイッチ６４の後方への傾動操作によって、ギヤポンプ９１からリール昇降シリンダ２１Ｂへ送油する電磁切換バルブ９３を作動させ、シリンダ２１Ｂにおける下部の油圧室への送油と上部の油圧室からオイルタンク９０への排油によってリール昇降シリンダ２１Ａを伸長させ、掻込みリール２１を上昇させる。一方、スイッチ６４の前方への傾動操作によって、電磁切換バルブ９３を逆方向へ作動させ、シリンダ２１Ｂの上部の油圧室への送油と下部の油圧室からオイルタンク９０への排油によってリール昇降シリンダ２１Ｂを短縮させ、掻込みリール２１を下降させる。また、スイッチ６４から指を離すと、このスイッチ６４は中立姿勢に復帰し、電磁切換バルブ９３が中立状態に復帰して送油および排油を停止し、リール昇降シリンダ２１Ａの伸縮状態を固定して、掻込みリール２１の上下位置を維持する。なお、図１６に示すように、オイルタンク９０と電磁切換バルブ９３の給油口の間には入力ポート、オイルタンク９０内の油を送油するギヤポンプ９１と、油内の粉塵を除去するフィルタ９２が設けられている。また、電磁切換バルブ９３の排油口とリール昇降シリンダ２１Ｂの間には送油流量を調整する絞り弁９５と、リール昇降シリンダ２１Ｂの伸縮状態を固定するために逆止弁９４，９６が設けられている。
【００４１】
（セカンドモア）  
刈取前処理装置４の下側には、図１〜３に示すように、横刈刃装置４０で刈取られた株元の背丈の長さを短くするために、セカンドモア５５が配置されている。
セカンドモア５５は、モア刈刃装置５６と、先端部にモア刈刃装置５６を支持する左右側フレーム５７Ｌ，５７Ｒから構成されている。また、フィーダハウス５０に連動してモア刈刃装置５６を昇降させるために、左側フレーム５７Ｌは、連動フレーム（図示省略）によって、フィーダハウス５０の枠体に連結されている。
【００４２】
モア刈刃装置５６は、固定状態の横下刃と、横下刃を支持する横刈刃プレートと、横下刃と横刈刃プレートによって形成された隙間を左右方向に往復摺動する横上刃から構成されている。左右側フレーム５７Ｌ，５７Ｒは、図９に示すように、機体フレーム１の前部に設けられた左右側支持部材５８Ｌ，５８Ｒに回転自在に支持されている。
【００４３】
右側フレーム５７Ｒを支持する右側支持部材５８Ｒの上方には、右側支持部材５８Ｒを覆うように操作者が操作部６への乗り降り時に利用する第１ステップ７０が設けられている。第１ステップ７０は、ステップ部７１と、ステップ部７１を支持ずる左右側脚部７２Ｌ，７２Ｒからなり、左右側脚部７２Ｌ，７２Ｒは機体フレーム１固定されている。
【００４４】
右側脚部７２Ｒの右面には、セカンドモア５５の右側フレーム５７Ｒと外部との衝突を防止するために、右側フレーム５７Ｒを支持する右側支持部材５８Ｒを覆うように第２ステップ７５を揺動自在に支持する支持体７３が設けられている。支持体７３は、略直方体形状に形成され、上面は右側に向かって下側に傾斜し、下部はセカンドモア５５の右側フレーム５７Ｒが揺動可能に開口されている。
また、支持体７３の先端部には、第２ステップ７５の上端部を揺動自在に支持する前後に向かって延設する軸７３Ａが設けられている。
【００４５】
操作者が操作部６に乗車する場合には、手動で第２ステップ７５を軸７３Ａを中心として反時計方向に揺動させて下方に移動させる。一方、操作者が操作部６に着座した場合には、付設されたスプリング等によって、第２ステップ７５は軸７３Ａを中心として時計方向に揺動し収納位置に移動する。
【００４６】
（燃料ホースの配置）
機体フレーム１の後部に設けられた燃料タンク８０内の燃料は、図１４，１５に示すように、燃料ホース８２、燃料フィルタ８５を介して、機体フレーム１の前部に設けられたエンジンに供給される。
燃料タンク８０は、機体フレーム１の後部に立設された左右一対の支持部材８１，８１に取付けられている。燃料タンク８０に溜まった水を外部に簡易に排出するために、燃料タンク８０の下面に設けられたドレン８０Ａは、左右一対の支持部材８１，８１によって形成された空間に延設され、燃料タンク８０内の内圧を一定に維持するために、燃料タンク８０の上面には、ブリーザ８０Ｂが取付けられている。
【００４７】
エンジンに供給される燃料に含まれる異物を除去する燃料フィルタ８５は、機体フレーム１の前後方向の中間部に立設された支持部材８６に取付けられ、機体フレーム１の燃料タンク８０と燃料フィルタ８５の間の部位には、燃料ホース８２を上載する前後方向に延設する固定部材８４が立設されている。
【００４８】
配置作業を簡易にするために、燃料タンク８０と燃料フィルタ８５の間に設けられた燃料ホース８２と、ブリーザ８０Ｂに吸気を供給する空気用ホース８２は、固定部材８４の上面に取付けられている。また、燃料フィルタ８５とエンジンの間に設けられた燃料ホース８２は、機体フレーム１に設けられた機器と機器の間に配置されているが、固定部材８４をエンジンの近傍部まで延設して、該燃料ホース８２を固定部材８４の上面に取付けることもできる。
【産業上の利用可能性】
【００４９】
本発明は、農業用作業車輌に適用できるものである。
【符号の説明】
【００５０】
１      機体フレーム
２      走行装置
３      脱穀装置
４      刈取前処理装置
６      操作部
６Ａ    枠体
２１    掻込みリール
４０    横刈刃装置（刈刃装置）
６０    フロントフレーム
６０Ａ  左側フレーム
６０Ｂ  フレーム
６０Ｃ  フレーム
６１    前面パネル（パネル）
６２    モニタ
６３    操作レバー
６３Ａ  仮想線
６４    スイッチ
６４Ａ  仮想線
【図１】
2014087298.tif 000003
【図２】
2014087298.tif 000004
【図３】
2014087298.tif 000005
【図４】
2014087298.tif 000006
【図５】
2014087298.tif 000007
【図６】
2014087298.tif 000008
【図７】
2014087298.tif 000009
【図８】
2014087298.tif 000010
【図９】
2014087298.tif 000011
【図１０】
2014087298.tif 000012
【図１１】
2014087298.tif 000013
【図１２】
2014087298.tif 000014
【図１３】
2014087298.tif 000015
【図１４】
2014087298.tif 000016
【図１５】
2014087298.tif 000017
【図１６】
2014087298.tif 000018